(57)【特許請求の範囲】
【請求項１】
室内機の筐体と、前記筐体内の異なる位置に配置される光源、及び無線信号の受信装置と、前記筐体の前面に取り付けられ、前記光源、及び無線信号の受信装置をカバーし、前記光源の点灯によって図柄が視認可能になる表示パネルとを備えた空気調和機において、
前記表示パネルと前記筐体との間に挟むように、絶縁性を有する透明表示シートを少なくとも前記光源、及び前記受信装置にわたって配設し、前記表示シートのオモテ面にはハーフミラー膜を形成すると共に、前記表示シートのウラ面に前記図柄部分を除いてシルク印刷により不透明体膜を形成することを特徴とする空気調和機。
【請求項２】
室内機の筐体と、前記筐体内の異なる位置に配置される光源、及び無線信号の受信装置と、前記筐体の前面に取り付けられ、前記光源、及び無線信号の受信装置をカバーし、前記光源の点灯によって図柄が視認可能になる表示パネルとを備えた空気調和機において、
前記表示パネルのオモテ面にハーフミラー膜を形成するとともに、前記表示パネルのウラ面に前記図柄部分を除いてシルク印刷により不透明体膜を形成したことを特徴とする空気調和機。
【請求項３】
室内機の筐体と、前記筐体内の異なる位置に配置される光源、及び無線信号の受信装置と、前記筐体の前面に取り付けられ、前記光源、及び無線信号の受信装置をカバーし、前記光源の点灯によって図柄が視認可能になる表示パネルとを備えた空気調和機において、
前記表示パネルのウラ面全面にハーフミラー膜を形成し、当該表示パネルと前記筐体との間に挟むように、絶縁性を有する透明表示シートを少なくとも前記光源、及び前記受信装置にわたって配設し、前記表示シートのオモテ面には前記図柄部分を除いてシルク印刷により不透明体膜を形成することを特徴とする空気調和機。
【発明の詳細な説明】
【０００１】
【発明の属する技術分野】
本発明は、空気調和機に関し、特に、文字や絵文字等の図柄を表示する表示手段を室内機に備えた空気調和機に関するものである。
【０００２】
【従来の技術】
空気調和機の室内機には運転状態を表示する表示手段が設けられており、従来の表示手段は図９、図１０に示すようになっている。図９は斜視図、図１０は断面図を示している。表示パネル１のウラ面１ｂには、光を反射するアルミニウム薄膜等から成るハーフミラー膜１５が蒸着やスパッタにより略全面に形成されている。
【０００３】
ハーフミラー膜１５上には、所定の図柄１２を除く略全面に黒系統の色を有した不透明体膜１６がシルク印刷により成膜されている。これにより、図柄１２の部分は所定の透過率で光を透過するとともに、所定の反射率で光を反射するようになっている。そして、各図柄１２に面して、表示パネル１の後方に光源（図示せず）が配置されている。したがって、光源を点灯することにより、図柄１２から光が出射されて正面から視認可能になる。これにより、使用者が空気調和機から離れていても容易に運転状態を把握することができる。
【０００４】
【発明が解決しようとする課題】
正面から室内機を見て、右側方には表示パネル１の後方に、リモコンの無線信号を受信する受信装置６が設けられている。ハーフミラー膜１５自体はアルミニウム薄膜等の金属材料から成るため、人体等がこのハーフミラー膜１５に触れると、人体に帯電する静電気がハーフミラー膜１５から受信装置６に伝わり、その内部の電子回路を破壊してしまうおそれがある。したがって、受信装置６と表示パネル１の間に絶縁シート８を配して、ハーフミラー膜１５と受信装置６の絶縁を図る必要があった。そのため、部品コストが上昇していた。
【０００５】
また、表示パネル１にハーフミラー処理を施し、さらにその上にシルク印刷を行うと、積層されたハーフミラー膜１５と不透明体膜１６の成分同士の相性が悪いため、ひび割れが起こりやすく、製品の不良率が高くなる。
【０００６】
本発明は、上記の問題点に鑑みてなされたものであり、部品の削減を可能とし、図柄の表示に用いるハーフミラー膜と不透明体膜の成分同士の相性が悪くても、安定して双方の膜を成膜することができる空気調和機を提供することを目的とする。
【０００７】
上記目的を達成するために本発明は、室内機の筐体と、前記筐体内の異なる位置に配置される光源、及び無線信号の受信装置と、前記筐体の前面に取り付けられ、前記光源、及び無線信号の受信装置をカバーし、前記光源の点灯によって図柄が視認可能になる表示パネルとを備えた空気調和機において、前記表示パネルと前記筐体との間に挟むように、絶縁性を有する透明表示シートを少なくとも前記光源、及び前記受信装置にわたって配設し、前記表示シートのオモテ面にはハーフミラー膜を形成すると共に、前記表示シートのウラ面に前記図柄部分を除いてシルク印刷により不透明体膜を形成することを特徴としている。
【０００８】
この構成によると、従来の絶縁シートに代えて、表示パネルと筐体との間に、光源により図柄を視認可能にする表示シートを、光源及び受信装置にわたって、表示パネルと筐体との間に挟むように設けるだけで、ハーフミラー膜上に不透明体膜が積層されることがなく、表示シートにより受信装置へ静電気が伝わることが防止される。
従って、従来必要であった絶縁シートを取り付ける構成、作業が不要であり、しかも、従来のように、ハーフミラー膜と不透明体膜とがひび割れを防止することが出来、表示パネルの加工不良率が下がる。また、表示シートの表裏両面に、ハーフミラー膜と、シルク印刷による不透明体膜とをそれぞれ形成するので、表示パネルに当該膜を形成しなくて済む。
【０００９】
また、本発明は、室内機の筐体と、前記筐体内の異なる位置に配置される光源、及び無線信号の受信装置と、前記筐体の前面に取り付けられ、前記光源、及び無線信号の受信装置をカバーし、前記光源の点灯によって図柄が視認可能になる表示パネルとを備えた空気調和機において、前記表示パネルのオモテ面にハーフミラー膜を形成するとともに、前記表示パネルのウラ面に前記図柄部分を除いてシルク印刷により不透明体膜を形成したことを特徴としている。
【００１０】
この構成によると、ハーフミラー膜上に不透明体膜が積層されることがないため、表示パネルの加工不良率が下がる。また、ハーフミラー膜は表示パネルがあるため受信装置から遠ざかり、静電気が受信装置に伝わることがないため、従来必要であった絶縁シートを廃止でき、部品とそのコストを削減できる。
【００１１】
また、本発明は、室内機の筐体と、前記筐体内の異なる位置に配置される光源、及び無線信号の受信装置と、前記筐体の前面に取り付けられ、前記光源、及び無線信号の受信装置をカバーし、前記光源の点灯によって図柄が視認可能になる表示パネルとを備えた空気調和機において、前記表示パネルのウラ面全面にハーフミラー膜を形成し、当該表示パネルと前記筐体との間に挟むように、絶縁性を有する透明表示シートを少なくとも前記光源、及び前記受信装置にわたって配設し、前記表示シートのオモテ面には前記図柄部分を除いてシルク印刷により不透明体膜を形成することを特徴としている。
【００１２】
この構成によると、従来の絶縁シートに代えて、表示パネルと筐体との間に、光源により図柄を視認可能にする表示シートを、光源及び受信装置にわたって、表示パネルと筐体との間に挟むように設けるだけで、ハーフミラー膜上に不透明体膜が積層されることがなく、表示シートにより受信装置へ静電気が伝わることが防止される。
従って、従来必要であった絶縁シートを取り付ける構成、作業が不要であり、しかも、従来のように、ハーフミラー膜と不透明体膜とがひび割れを防止することが出来、表示パネルの加工不良率が下がる。
【００１３】
【発明の実施の形態】
以下に本発明の第１の実施形態を図面を参照して説明する。図１、図２は第１実施形態の空気調和機の室内機を示す斜視図及び側面図である。室内機の筐体２０は壁面に取り付けられるキャビネット４の前面を前面パネル２により覆って構成されている。
【００１４】
キャビネット４内にはファンモータ、熱交換器、制御部等が配されている。前面パネル２の前面には前面グリル３ａを有するオープンパネル３が着脱自在に設けられている。キャビネット４の横幅は前面パネル２の横幅よりも狭くなっている。また、前面パネル２の背面２ａは側面から見て後方に凸になっており、前面パネル２の前面２ｂ及び前面グリル３ａの前面３ｂは側面から見て前方に凸になっている。
【００１５】
従って、キャビネット４の側面の一部が前面パネル２に隠れるとともに、前面パネル２の上下端の奥行きが狭くなっている。これにより、省エネルギー化を図るために熱交換量を大きくして熱交換器を大型にした際に、筐体２０が大きくなっても奥行きＤが狭く感じられ、使用者の圧迫感を低減して快適な室内空間を得られるようになっている。
【００１６】
なお、前面パネル２の背面２ａを境界として分割された筐体２０の後部の横幅を前部よりも狭くするとともに境界を曲面にしているが、キャビネット４の中間や前面パネル２の中間を筐体２０の前部と後部との境界として、後部の横幅を前部よりも狭くするとともに境界を曲面にしてもよい。
【００１７】
また、キャビネット４の側面には水平に延びる縞状の突起４ａがエッチング加工により形成されている。これにより、使用者の目の錯覚が生じてキャビネット４の奥行きが狭く感じられ、圧迫感をより低減することができる。なお、突起４ａに替えて、キャビネット４に縞模様を印刷してもよい。また、縞模様が印刷された粘着シートを接着してもよい。
【００１８】
オープンパネル３の下方には前面パネル２の横幅方向に延びる透明な表示パネル１が取り付けられている。表示パネル１の奥方の前面パネル２内には運転状態の表示を行う複数のＬＥＤランプ５が配置されている。
【００１９】
室内機前面の分解斜視図を図３に示すと、前面パネル２は樹脂成形品から成り下部に凹部２ｃが形成されている。表示パネル１は左右方向にスライドして凹部２ｃに装着され、爪部２ｄにより係止されるようになっている。表示パネル１と前面パネル２の間に挟むように、薄い透明な表示シート７が配置されている。そして、帯状の表示パネル１と、前面グリル３ａの桟と、突起４ａとを水平に配置することによってデザインが統一されて美観が向上し、インテリアとしても快適な室内空間を提供できるようになっている。
【００２０】
図４は、表示パネル１と表示シート７の詳細な断面図である。表示パネル１は樹脂成形品やガラス等の透明な部材から成っている。表示シート７は、透明樹脂等から成る薄いフィルムである。表示シート７のオモテ面７ａには光を反射するアルミニウム薄膜等が蒸着やスパッタにより略全面に成膜され、その膜厚や添加材料を適切に選択することによってハーフミラー膜１５が形成されている。表示シート７のウラ面７ｂには、所定の図柄１２を除く略全面に黒系統の色を有した不透明体から成る不透明体膜１６がシルク印刷により成膜されている。これにより、表示シート７の図柄１２の部分は所定の透過率で光を透過するとともに、所定の反射率で光を反射するようになる。
【００２１】
光源（図示せず）は各図柄１２に面して表示シート７の後方に配置されている。そして、これらの光源を点灯することにより、図柄１２から光が出射されて正面から視認可能になる。これにより、使用者が空気調和機から離れていても容易に運転状態を把握することができる。
【００２２】
また、光源を消灯すると、空気調和機の外方から入射する外光が表示パネル１のハーフミラー膜１５で反射して反射像が映し出される。従って、外光によって図柄１２が視認されるおそれがなく、光源からの光が照射された図柄１２のみが視認される。従って、空気調和機の運転状態を明確に把握して誤認を防止することができる。
【００２３】
本実施の形態によると、ハーフミラー膜１５上に不透明体膜１６が積層されることがないため、表示パネル１の加工不良率が下がる。また、表示シート７がハーフミラー膜１５と受信装置６の絶縁の役割も果たし、静電気が受信装置６に伝わることがないため、従来必要であった絶縁シートを廃止でき、部品とそのコストを削減できる。
【００２４】
次に、本発明の第２の実施形態について図面を参照して説明する。図５は、第２実施形態の空気調和機の分解斜視図である。この図において、上記の第１実施形態の室内機（図３参照）と共通の部材には同一の符号を付し、その詳細な説明を省略する。
【００２５】
図６は、表示パネル１の詳細な断面図である。表示パネル１は樹脂成形品やガラス等の透明な部材から成っている。表示パネル１のオモテ面１ａには光を反射するアルミニウム薄膜等が蒸着やスパッタにより略全面に成膜され、その膜厚や添加材料を適切に選択することによってハーフミラー膜１５が形成されている。表示パネル１のウラ面１ｂには、所定の図柄１２を除く略全面に黒系統の色を有した不透明体から成る不透明体膜１６がシルク印刷により成膜されている。これにより、表示パネル１の図柄１２の部分は所定の透過率で光を透過するとともに、所定の反射率で光を反射するようになる。
【００２６】
本実施の形態によると、ハーフミラー膜１５上に不透明体膜１６が積層されることがないため、表示パネル１の加工不良率が下がる。また、ハーフミラー膜１５が受信装置６から遠ざかり、静電気が受信装置６に伝わることがないため、従来必要であった絶縁シートを廃止でき、部品とそのコストを削減できる。
【００２７】
次に、本発明の第３の実施形態について図面を参照して説明する。図７は、第３実施形態の空気調和機の分解斜視図である。この図において、上記の第１実施形態の室内機（図３参照）と共通の部材には同一の符号を付し、その詳細な説明を省略する。
【００２８】
図８は、表示パネル１と表示シート７の詳細な断面図である。表示パネル１は樹脂成形品やガラス等の透明な部材から成っている。表示シート７は、透明樹脂等から成る薄いフィルムである。表示パネル１のウラ面１ｂには光を反射するアルミニウム薄膜等が蒸着やスパッタにより略全面に成膜され、その膜厚や添加材料を適切に選択することによってハーフミラー膜１５が形成されている。表示シート７のオモテ面７ａには、所定の図柄１２を除く略全面に黒系統の色を有した不透明体から成る不透明体膜１６がシルク印刷により成膜されている。これにより、表示パネル１の図柄１２の部分は所定の透過率で光を透過するとともに、所定の反射率で光を反射するようになる。
【００２９】
本実施の形態によると、ハーフミラー膜１５上に不透明体膜１６が積層されることがないため、表示パネル１の加工不良率が下がる。また、表示シート７がハーフミラー膜１５と受信装置６の絶縁の役割も果たし、静電気が受信装置６に伝わることがないため、従来必要であった絶縁シートを廃止でき、部品とそのコストを削減できる。
【００３０】
【発明の効果】
以上説明したように本発明によると、表示パネルと筐体との間に、光源の点灯によって図柄を視認可能に表示する表示シートを配設し、その表示シートのオモテ面にハーフミラー膜を形成するとともに、表示シートのウラ面に図柄部分を除いて不透明体膜を形成したので、ハーフミラー膜上に不透明体膜が積層されることがない。そのため、表示パネルの加工不良率が下がる。また、表示シートがハーフミラー膜と受信装置の絶縁の役割も果たし、静電気が受信装置に伝わることがないため、従来必要であった絶縁シートを廃止でき、部品とそのコストを削減できる。
【００３１】
また本発明によると、表示パネルのオモテ面にハーフミラー膜を形成するとともに、表示パネルのウラ面に図柄部分を除いて不透明体膜を形成したので、ハーフミラー膜上に不透明体膜が積層されることがない。そのため、表示パネルの加工不良率が下がる。また、ハーフミラー膜が受信装置から遠ざかり、静電気が受信装置に伝わることがないため、従来必要であった絶縁シートを廃止でき、部品とそのコストを削減できる。
【００３２】
また本発明によると、表示パネルと前記筐体との間に、前記光源の点灯によって図柄を視認可能に表示する表示シートを配設し、前記表示パネルのウラ面にハーフミラー膜を形成するとともに、前記表示シートのオモテ面に前記図柄部分を除いて不透明体膜を形成したので、ハーフミラー膜上に不透明体膜が積層されることがない。そのため、表示パネルの加工不良率が下がる。また、表示シートがハーフミラー膜と受信装置の絶縁の役割も果たし、静電気が受信装置に伝わることがないため、従来必要であった絶縁シートを廃止でき、部品とそのコストを削減できる。
【図面の簡単な説明】
【図１】  本発明の第１の実施形態の空気調和機の室内機の斜視図である。
【図２】  その室内機の側面図である。
【図３】  その室内機の前面の分解斜視図である。
【図４】  その室内機の表示パネルと表示シートの詳細な断面図である。
【図５】  本発明の第２の実施形態の空気調和機の室内機の前面を分解して示す斜視図である。
【図６】  その室内機の表示パネルの詳細な断面図である。
【図７】  本発明の第３の実施形態の空気調和機の室内機の前面を分解して示す斜視図である。
【図８】  その室内機の表示パネルと表示シートの詳細な断面図である。
【図９】  従来の空気調和機の室内機の一例を前面を分解して示す斜視図である。
【図１０】  その従来の室内機の表示パネルの詳細な断面図である。
【符号の説明】
１  表示パネル
２  前面パネル
３  オープンパネル
４  キャビネット
６  受信装置
７  表示シート
１５  ハーフミラー膜
１６  不透明体膜
２０  筐体
【図１】
0004255241.tif 000002
【図２】
0004255241.tif 000003
【図３】
0004255241.tif 000004
【図４】
0004255241.tif 000005
【図５】
0004255241.tif 000006
【図６】
0004255241.tif 000007
【図７】
0004255241.tif 000008
【図８】
0004255241.tif 000009
【図９】
0004255241.tif 000010
【図１０】
0004255241.tif 000011